(57)【要約】ヘッドバンド（１０）は、上部（２０）および２つの側部（３０）が一体となった本体として提供される。側部（３０）には、一般に装着者の耳の後ろの輪郭に沿った曲線状の耳部分が含まれる。上部（２０）には、装着者の頭に面した、平面ではない表面が含まれ、この表面によって、ヘッドバンドと装着者の頭の間に空間が保たれ、装着者の頭髪を装着者の頭から「持ち上げる」ことができる。ヘッドバンドには、上部（２０）と側部（３０）の間の接続部にヒンジ（４２）がついていることがあり、これらによってヘッドバンドを折りたたむことができる。心地よさ、利便性、ぴったりとした装着、または見た目の美しさのために他の特徴を備えることも可能である。ヘッドバンドは、エラストマーまたはフォームなど、ただしこれらに限らない合成または自然のいかなる材質からも構成することができる。ヘッドバンドは半透明、透明、または不透明であってもよい。【選択図】図１
2008520273.tif 000002
【特許請求の範囲】
【請求項１】
対向する第一および第二の遠位末端部分と装着時に装着者の頭に面する主要な表面を有する上部と、上部の第一および第二の遠位末端部分の一つにそれぞれ接続され下部には一般に耳の後ろの輪郭に沿った曲線状の耳部分のある第一および第二の細長い側部から成るヘッドバンド。
【請求項２】
請求項１に記載のヘッドバンドで、装着者の頭に面する主要な表面が平面でないヘッドバンド。
【請求項３】
請求項１に記載のヘッドバンドで、下部の曲線状の耳部分が、耳の後ろで外耳道の外への開口部の下にあたる部分で終わるように構成されているヘッドバンド。
【請求項４】
請求項３に記載のヘッドバンドで、下部の曲線状の耳部分が装着者の顔の方へと前に曲がるように構成されているヘッドバンド。
【請求項５】
請求項４に記載のヘッドバンドで、下部の曲線状の耳部分が曲がった後で、前方および下方に角度のついた一般に真っすぐな線に沿って伸びるヘッドバンド。
【請求項６】
請求項１に記載のヘッドバンドで、下部の曲線状の耳部分が、耳の後ろで耳の下端に当たる部分で終わるように構成されているヘッドバンド。
【請求項７】
請求項１に記載のヘッドバンドで、下部の曲線状の耳部分に、装着者の耳の上に位置するよう構成された分枝部が含まれるヘッドバンド。
【請求項８】
請求項１に記載のヘッドバンドで、第一および第二の細長い側部の下部の曲線状の耳部分にそれぞれ、装着者が同時に眼鏡をかける場合に眼鏡のつるの一部が収まるような大きさと構成になっている通過部分があるヘッドバンド。
【請求項９】
請求項１に記載のヘッドバンドで、下部の曲線状の部分が、この曲線状部分と隣り合わせになっている第一および第二の細長い側部の上部に対して厚くなっている領域を有するヘッドバンド。
【請求項１０】
請求項９に記載のヘッドバンドで、より厚くなっている領域が、装着者の耳の後ろにおける摩擦の増大、および／または、弾力性のあるクッションの提供のために選ばれた被膜から成るヘッドバンド。
【請求項１１】
請求項９に記載のヘッドバンドで、より厚くなっている領域が装着者の耳の後ろにおける摩擦の増大、および／または、弾力性のあるクッションの提供のために選ばれたさや状の部分から成るヘッドバンド。
【請求項１２】
請求項９に記載のヘッドバンドで、より厚くなっている領域が、ヘッドバンドの曲線状の耳部分の下部の外側表面を包む外部の弾力性のある材質から成るヘッドバンド。
【請求項１３】
請求項１に記載のヘッドバンドで、上部が第一および第二の遠位末端部の間にある主要部分から成り、第一および第二の遠位末端部が主要部分の下へと伸展するよう構成されているヘッドバンド。
【請求項１４】
請求項１３に記載のヘッドバンドで、正面から見た場合、第一および第二の遠位末端部分が一般に垂直に下に向かって伸展するヘッドバンド。
【請求項１５】
請求項１４に記載のヘッドバンドで、第一および第二の細長い側部が上部における最初の幅から、中間および／または下端部における二番目の狭い幅へと徐々に幅が狭くなっているヘッドバンド。
【請求項１６】
請求項２に記載のヘッドバンドで、ヘッドバンド上部の平面でない表面が、正面から見た場合、第一および第二の遠位末端部から左右対称に持ち上がり、その後下がってきた後に中央でぶつかり、つながるような構成になっている一体化した要素であるという特徴を持つヘッドバンド。
【請求項１７】
請求項２に記載のヘッドバンドで、正面から見た場合、装着者の頭に面する上部の平面でない表面が、一般にくぼんでいて中央の底部でつながる２つの側部を持つよう構成されているヘッドバンド。
【請求項１８】
請求項１７に記載のヘッドバンドで、上から見た場合、平面でない表面が、中央部でぶつかる第一および第二の部分から成り、中央部を中心として左右対称であり、第一および第二の部分が遠位末端部から外側に広がり、その後狭くなって中央部でぶつかるような輪郭になっているヘッドバンド。
【請求項１９】
請求項１９に記載のヘッドバンドで、第一および第二の部分が不透明であるヘッドバンド。
【請求項２０】
請求項１８に記載のヘッドバンドで、第一および第二の部分の形状と大きさがサングラスのレンズの形状に似ているヘッドバンド。
【請求項２１】
請求項２に記載のヘッドバンドで、正面から見た場合、ヘッドバンド上部の平面でない表面が、間隔をおいて並んだ頭髪に接する領域を複数形作る、複数の上に向いた弓形の部分で構成されるヘッドバンド。
【請求項２２】
請求項１に記載のヘッドバンドで、正面から見た場合、ヘッドバンドが弓形ではないもの。
【請求項２３】
請求項２に記載のヘッドバンドで、上部がフレームと、一般に中央部で一体化する第一および第二の部分から成り、第一および第二の部分がフレームから外側に向かって伸展するが、一般に中央部においてフレームに向かって幅が狭くなり、フレームが後ろ側に向くように装着するよう構成されているヘッドバンド。
【請求項２４】
請求１に記載のヘッドバンドで、装着者の頭髪が頭の上と横にある場合で、装着時にヘッドバンドの第一および第二の細長い側部および／または上部の遠位末端部分が、顔の側面で髪を持ち上げるのに十分な長さを有するように構成されるヘッドバンド。
【請求項２５】
請求項１に記載のヘッドバンドで、第一および第二の細長い側部が上部に枢動可能に取り付けられているヘッドバンド。
【請求項２６】
請求項２５に記載のヘッドバンドで、第一および第二の細長い側部が互いの方に向かって折りたためられるように構成されているヘッドバンド。
【請求項２７】
請求項２６に記載のヘッドバンドで、第一および第二の細長い側部が、ヘッドバンド上部の対向する遠位末端部にそれぞれヒンジで連結されているヘッドバンド。
【請求項２８】
請求項１に記載のヘッドバンドで、正面から見た場合、上部の主要な形状が最上点を持つ形であり、第一および第二の細長い側部が主要な形状の最上点に接するように引いた線に一般に直角となっているヘッドバンド。
【請求項２９】
請求項１に記載のヘッドバンドで、正面から見た場合、上部の主要な形状が最上点を持つ形で、装着時に、第一および第二の細長い側部が下に向かって、そして、主要な形状の最上点に接するように引いた線に対して約４５から７５度の間の角度でもう一方の側部に向かって伸展するよう方向付けられているヘッドバンド。
【請求項３０】
請求項１に記載のヘッドバンドで、さらに主要な表面に滑り止め機能を含むヘッドバンド。
【請求項３１】
請求項１に記載のヘッドバンドで、横から見た場合、ヘッドバンドの上部が、より下の方にある前方部分から、より上の方にある後方部分へと角度がついて傾斜しているヘッドバンド。
【請求項３２】
請求項１に記載のヘッドバンドで、さらにヘッドバンドのセットを構成し、使用者がヘッドバンドのサイズを選択できるようにするため、それぞれが、所定の異なる上部の幅、所定の異なる細長い側部の長さ、および／または所定の異なるその他の寸法を有しているヘッドバンド。
【請求項３３】
請求項３２に記載のヘッドバンドで、ヘッドバンドのセットが異なる大人用サイズの第一のセットと、異なる子供用サイズの第二のセットを含むヘッドバンド。
【請求項３４】
対向し横方向に間隔をおいて並んだ第一および第二の遠位末端部を持ち、装着時に装着者の頭に面する上部と、それぞれ上部の第一および第二の遠位末端部の対応する方に接続された第一および第二の細長い側部を持ち、横から見た場合、上部がより下の方にある前方部分からより上の方にある後方部分へと角度がついて傾斜しているヘッドバンド。
【請求項３５】
請求項３４に記載のヘッドバンドで、主要な表面が滑り止め機能を含むヘッドバンド。
【請求項３６】
請求項３４に記載のヘッドバンドで、滑り止め機能が主要な表面のほかの部分よりも摩擦の大きい滑り止め材から成るヘッドバンド。
【請求項３７】
請求項３６に記載のヘッドバンドで、装着者の頭に面する主要な表面が平面でないヘッドバンド。
【請求項３８】
陳列台、および陳列台に取り出し可能なように収まるよう構成され、またサイズを決定される、複数の異なるヘッドバンド、横方向に対向する第一および第二の遠位末端部と装着時に装着者の頭に面する平面でない上面を持つ上部、それぞれ上部の第一および第二の遠位末端部の対応する方に接続された第一および第二の細長い側部からなり、第一および第二の細長い側部は一般に耳の後ろの輪郭に沿った下部の曲線状の耳部分を含むヘッドバンドから成るヘッドバンドの陳列。
【請求項３９】
請求項３８に記載のヘッドバンドの陳列で、陳列台が、第一および第二の細長い側部が内側に伸展し、上部が外から見えるように、一般に一直線に並んだ垂直の段にヘッドバンドを取り出し可能なように収納するよう構成された直立型の回転式陳列台として構成されるヘッドバンドの陳列。
【請求項４０】
請求項３９に記載のヘッドバンドの陳列で、陳列台が、第一および第二の細長い側部を互いの方に向かってヘッドバンド上部のそばへ折りたたんだ状態でヘッドバンドを収納するよう構成されているヘッドバンドの陳列。
【請求項４１】
請求項３９に記載のヘッドバンドの陳列で、下部の曲線状の耳部分が一般に下方に伸展するようにヘッドバンドを収納するヘッドバンドの陳列。
【請求項４２】
請求項３８に記載のヘッドバンドの陳列台で、横から見た場合、上部がより下の方にある前方部分からより上の方にある後方部分へと角度がついて傾斜しているヘッドバンドの陳列。
【請求項４３】
請求項３８に記載のヘッドバンドで、主要な表面が滑り止め機能を含むヘッドバンドの陳列。
【請求項４４】
横方向に対向する第一および第二の遠位末端部および、それぞれ上部の第一および第二の遠位末端部の対応する方に接続された第一および第二の細長い側部を持つヘッドバンドの陳列方法で、異なるヘッドバンドの側部が水平に陳列台の表面の内側に伸展するよう、また、ヘッドバンドが一般に垂直の段に並べられ、上部が外から見えるように複数のヘッドバンドを陳列する方法。
【請求項４５】
請求項４４に記載の方法で、さらに陳列台の回転機能を含む方法。
【請求項４６】
請求項４４に記載の方法で、第一および第二の細長い側部に、一般に耳の後ろの輪郭に沿った形状の下部の曲線状の耳部分が含まれ、陳列台への収納時に、曲線状の耳部分の最も外側の部分が下を向く方法。
【請求項４７】
請求項４４に記載の方法で、上部に装着時に装着者の頭に向く、平面でない表面が含まれる方法。
【請求項４８】
請求項４４に記載の方法で、側部に眼鏡のそれぞれのつるを通すような大きさの通過部が含まれる方法。
【請求項４９】
請求項４４に記載の方法で、横から見た場合、ヘッドバンドの上部がより下の方にある前方部分からより上の方にある後方部分へと角度がついて傾斜している方法。
【請求項５０】
請求項４４に記載の方法で、ヘッドバンドの主要な表面が滑り止め機能を含む方法。
【発明の詳細な説明】
【関連出願】
【０００１】
本出願は、２００４年１１月１５日に申請された米国仮出願、出願番号Ｎｏ．６０／６２８，０５５による優先権を主張し、同仮出願の内容はこれを参照することにより、本出願中に列挙されているように本出願中に含まれるものとする。
【技術分野】
【０００２】
本発明はヘッドバンドに関するものである。
【背景技術】
【０００３】
利便性および／または装飾のために装着者の頭髪を固定する目的でのヘッドバンドの使用はよく知られている。ヘッドバンドによって、装着者の頭髪を顔から離して後に向けて引き上げることができる。従来のヘッドバンドはほぼ弓形であり、このため装着者の頭にぴったりと合うようになっている。装着者の頭髪を顔から「持ち上げる」ように固定することにより、見て美しい頭髪の外観をもたらすことができるヘッドバンドを提供することが望ましいと考えられる。
【０００４】
従来のヘッドバンドはまた、側部が装着者の耳の後ろの柔軟な部分で終わっているため、装着者にとって比較的不快である可能性がある。装着者にとってより快適なヘッドバンドを提供することが望ましいと考えられる。
【発明の開示】
【０００５】
本発明の実施例は、装着者の頭髪を頭から持ち上げることのできるヘッドバンドを提供する。さらに、本発明の実施例は、不快感を防ぐため耳に心地のよい構造を含むヘッドバンドを提供する。
【０００６】
本発明の実施例は、上部と、第一および第二の細長い側部を含むヘッドバンドを提供する。上部には、向かい合った第一および第二の遠位末端部分、そして装着者の頭に面した表面がある。細長い側部は上部の遠位末端部分に接続されている。細長い側部は、一般に耳の後ろの輪郭に沿った下部の曲線状の耳部分を含む。
【０００７】
上部と側部の接続はヒンジによる接続部、または固定された接続部となっている。ヒンジによる接続部により、多くのサングラスと同様に、着用しない際にヘッドバンドを折りたたむことができる。接続部は側部が装着者の頭に向けてかなり内側の角度に曲げられて構成されて、これにより頭髪の位置する空間を広くすること、および／または装着者の頭に合った確実な装着が可能となる。
【０００８】
本発明のヘッドバンドに、装着者の耳の中央の下まで伸び、曲がって耳の下の部分まで達する耳バンドを含んでもよい。このような耳バンドは有利な点として頭の柔軟な部分を避けるようになっている。これに代わる、あるいはこれに追加される特徴として、耳バンドには装着者の耳の上部に沿って曲がっている分枝部が含まれることがある。耳バンドは装着者にとっての心地よさのために、弾力のある材質またはさや状の被膜を含んでもよい。もう一つの実施例には、装着者が目に眼鏡を装着する際に眼鏡の一部が通る部分に通過部がある。
【０００９】
一部の実施例では、子供やその他の人々のために、本発明のヘッドバンドが頭の異なる大きさや形に合わせて構成されている。
【００１０】
一部の実施例では、本発明のヘッドバンドは、サングラスの形態および／または外観を持つが実際のレンズを持たず、サングラスと類似した構造となっている。
【００１１】
本発明のその他の実施例には、ヘッドバンドの陳列台が含まれる。陳列台は回転式であることもあり、ヘッドバンドの上部が見え、細長い側部が台の内部に伸びるように、取り出し可能にヘッドバンドを保持するように構成されている。または、陳列台は第一および第二の細長い末端部分を互いに折りたたんだ状態で保持するよう構成されている。
【発明を実施するための最良の形態】
【００１２】
これより、本発明の実施例を示す添付の図を参考に、本発明をより詳しく説明する。しかしながら、本発明は多くの異なる形態で実施される可能性があり、本出願で説明された実施例に限定すると解釈されるべきではない。むしろ、これらの実施例は本開示が詳細で完全なものであり、当業者に対して発明の範囲を充分伝えるように提示されるものである。本開示中、同等の番号は同等の要素を表す。当然のことながら、ヘッドバンドのある実施例について説明されている場合でも、一つのヘッドバンドの機能または操作は他の実施例にも適用されることがある。また、当然のことながら、「彼の」「彼女の」といった所有格は利便性のためだけに使われているのであって、性別による制限を意味するものではない。
【００１３】
図中において、線の濃さ、重なり、特徴、要素および／または領域が、明確な表示のために強調されていることがある。当然のことながら、ある特徴を持った部分がもう一つの特徴を持った部分または要素の「上に」あると説明される場合、この部分は直接、他の要素の上にあるか、または介在する要素がある可能性もある。一方、ある要素がもう一つの特徴ある部分あるいは要素の「上に直接」あると説明されている場合には、介在する要素は存在しない。また、これも当然のことであるが、何らかの特徴ある部分または要素がもう一つの特徴ある部分または要素に「接続している」または「連結している」と説明されている場合には、他の要素に直接接続していることもあれば、介在する要素がある可能性もある。一方、何らかの特徴ある部分または要素がもう一つの要素に「直接接続している」または「直接連結している」と説明されている場合には、介在する要素は存在しない。
【００１４】
本発明による実施例が以下に詳細に記述される。図１から５は、上部２０と細長い側部３０を持つヘッドバンド１０を表している。ヘッドバンド１０は弓形ではない形でなくてもよい。上部２０は、装着者の頭に面した主要な表面２０ｓを含む可能性がある。一部の実施例では、主要な表面２０ｓは平面でない表面２０ｓである可能性がある。図３、５、７に示すように、一部の実施例では、上部２０の、平面ではない表面２０ｓが装着者の頭から上方に離れるいずれかの側に、少なくとも一つの底部２２がある。この構造は装着者の頭と表面２０ｓの間の空間を広くすることができ、これにより、見た際に美しいように装着者の頭髪を頭から持ち上げることができる。例えば、一部の実施例では、上部表面２０の最も外側の部分と細長い側部３０が約０．１から０．５インチ、典型的には約０．２から０．３インチの間隔をつくるように構成される。すなわち、側部３０の上部の端と上部表面２０ｓの最も外側の端で作られた外側の角部分は、従来のヘッドバンドより圧迫が少ないようにするため装着時に使用者の頭の上部に位置するように構成される。
【００１５】
また、図３、５、７に示したように、一部の実施例では、上部２０の平面でない表面２０ｓが、底部２２まで達してつながる２つの全体的にくぼんだ側部２０ｃを持つように構成される。図１、２、４に示したように、上部２０はさらに、上から見た場合に一般にくぼんだ側部２０ｃの外周が上部２０の遠位末端部分から外に広がってから内側にすぼまって底部２２でつながるような形をとるように構成される可能性もある。外周の輪郭は底部２２を中心に対称であってもよい。この実施例では、他の実施例でも同様だが、ヘッドバンド１０はサングラスの形に似たように構成される。特に、この実施例では、側部２０ｃは一般にサングラスのレンズに似た大きさと形を持つ。側部２０ｃは不透明や半透明で、あるいはその他のサングラスのレンズとして典型的ではない光学的性質を持つ可能性もある。
【００１６】
底部２２を複数持つもう一つの実施例を図１１および１２に示す。この実施例の平面でない表面２０ｓは、正面から見ると、間隔をおいた底部２２を複数形作る、複数の上に向いた弓形の部分２０ａを持つよう構成されている。さらに他の実施例には、平面でない表面２０ｓをその間にほぼ「Ｖ字型」、ほぼ「Ｕ字型」、ほぼ正弦曲線型、逆弓形、その組み合わせ、または他の形など、異なる形状に形作るような、複数の底部２２を含む可能性がある。
【００１７】
図１６および１７は、立体的な三つ編み構造を採用した、平面でない表面２０ｓのもう一つの実施例のヘッドバンド１０を示している。図１８および１９は、ヘッドバンドの上部２０が、最も幅広い部分２０ｗがヘッドバンド１０の中間部分にくるように構成されうることを示している。すなわち、上部２０が外側の最初の幅から中心部の最も幅が広い部分２０ｗに向かって細くなりうるということである（図１に示したような狭い部分に向かうのと反対に）。
【００１８】
図１および図３に示したように、一部の実施例では、正面から見た場合、上部２０の第一および第二の遠位末端部分２０ｖは、上部２０の主要な部分の下へ、一般に垂直方向に下に伸びるよう構成されている。図５および図７に示されているように、細長い側部３０および／または上部２０の一般に垂直方向に向いた遠位末端部分２０ｖは、装着者の顔の周りの頭髪を持ち上げるのに充分な長さに構成される。
【００１９】
細長い側部３０は、接続部４０を介して上部２０と接続されてもよい。一部の実施例では、接続部４０は上部２０を細長い側部３０に枢動可能に取り付けていて、側部は互いの方に向かって折りたたむよう構成されている。図１、３、５、８および１６に示したように、接続部４０は、ヘッドバンド１０を装着しない際に側部３０が内側に旋回し、コンパクトに収納できるように折りたためられるよう、ヒンジ４２から成る可能性がある。ヒンジ４２はピン、エラストマー部分、ベアリング、車軸、またはその他の回転可能にする装置構成を含んでもよい。典型的なヒンジ４２の詳細な外観を図８に示す。接続部４０は、例えば図６、７、１１から１５の細長い側部３０を折りたたむ必要のない実施例に示したように、固定された接続部４４を含むこともある。
【００２０】
図７に示すように、細長い側部３０は、上部２０から離れて下へと進むに従って、もう片方の細長い側部３０の方に向かって内側に角度がついていることがある。図７は、これにより、装着者の頭髪のための空間が広くなり、確実にぴったり装着できる可能性があることを示している。図７が示すのは、接続部４０が固定された接続４４である場合のこのような特徴であるが、内側に角度のついた側部３０は、どのような種類の接続部４０でもその構造に含まれる可能性がある。図７に示したような特定の実施例では、側部３０と、上部２０の最上部に接するように引かれる想像線により形作られた角度「θ」は約４５度から７５度である。図３に示したような他の実施例では、正面から見た場合、細長い側部３０は、本体の形の最上部に接するように引いた直線に一般に直角となる。
【００２１】
図１、６、１１、１３および１６に示したように、一部の実施例では、細長い側部３０は上部の最初の幅から中央および／または底部のより狭い幅へと幅が狭まっている。
【００２２】
一部の実施例では、例えば図１に示すように、側部３０には曲線状の耳バンド３２が含まれる。曲線状の耳バンド３２は使用者の耳の周囲の輪郭に一般に沿うように構成される。図１に示すように、耳バンド３２は装着者の顔の方へ、前に向かって曲がる可能性がある。さらに図１に示すように、耳バンド３２は曲がった箇所の先では前方および下方に向かう角度の一般に真っ直ぐな線に沿って伸びている。他の実施例では、曲がった箇所から先の下方および前方に向かった耳バンド３２は曲線を描くことがある。
【００２３】
図５に示すように、耳バンド３２は装着者の耳の後ろ、外耳道の外への開口部の下で終わっていてもよい。耳バンド３２は、装着者の頭の部分で、耳の下端部に近い、あるいはその下の部分で終わっていてもよい。耳バンド３２の断面の厚さは、隣にある側部３０の部分の厚さよりも薄い可能性がある。一つあるいは複数のこのような特徴により、装着者の耳の後ろの、頭の柔軟な部分で側部３０が終わる、またはこの部分に側部３０がこすりつけられるのが避けられる。
【００２４】
例えば図１３に示すように、より厚い部分３４を含む耳バンド３２によって、装着がさらに装着者にとって快適となる。より厚い部分３４は、細長い側部３０の上側の隣り合った部分より厚くなっている。より厚い部分３４は、一つまたは複数の被膜、さや、覆い、外殻あるいは単に追加の材質からなる。より厚い部分３４の材質は細長い側部３０の他の部分と同一のこともあれば、側部３０の上部と比べて弾力性が高い物質であることもある。より厚い部分３４を形成するのに使うことのできる、これに適した材質の例としては、あらゆる種類のゴム、エラストマー、フォーム、布、あるいは他の弾力性のある材質が含まれるが、これらに限定されない。
【００２５】
より厚い部分３４は、図１５に示すように耳バンド３２の全体を覆う必要はなく、顔に触れる表面のみに位置してもよい。より厚い部分３４は耳バンド３２による装着者の肌への衝撃を和らげるのを助け、しかも／あるいは、よりしっかりと固定するように顔に触れる表面の摩擦を大きくし、これにより装着者の皮膚とヘッドバンド１０との間が滑らないよう構成されている。ヘッドバンドに含まれる可能性があり、滑り止めの目的に役立つ可能性のあるもう一つの特徴は、図１０に示した上部の分枝部３６である。分枝部３６は装着者の耳の上部の上方にあり、より確実にぴったり装着できるようにし、滑るのを防ぐ。
【００２６】
図１６に示すように、耳バンド３２には、ヘッドバンドと同時に装着者が目を覆うように眼鏡をかける場合に、眼鏡の一本のつるの一部が入るような大きさと構造を持つ通過部３８が含まれることがある。他の実施例では、通過部３８は示されているように耳バンド３２の内側の端ではなく、外側の端に位置する可能性がある。「通過部」という用語の意味には、眼鏡のつるを通せるような、溝（トレンチ、グルーブなど）の作ってある部分や、また、横方向に弓なりまたは曲線状になった部分が含まれる。さらに他の実施例では、通過部３８は耳バンド３２の内側の端ではなく、中央を通る可能性がある。
【００２７】
本発明のもう一つの実施例はセットとしてのヘッドバンド１０で、これらのヘッドバンド１０は使用者がサイズを選択できるように、それぞれ予め定めた通りに横幅が異なる上部２０、それぞれ予め定めた通りに長さが異なる細長い側部３０、および／またはそれぞれ予め定めた通りにサイズが異なるその他の部分を持つ。セットとしてのヘッドバンド１０には、第一に大人用の異なるサイズのセット、二番目に子供用の異なるサイズのセットが含まれてもよい。子供用のヘッドバンド１０の例を図１４に示す。
【００２８】
図１５に示すように、本発明のさらにもう一つの実施例が、上部２０がフレーム２０ｆと一般に中央にあたる部分２５で合体する第一および第二の部分２３、２４から成るヘッドバンド１０である。２３、２４の部分は上から見ると２５の部分を中心として左右対称で、上部２０の遠位部ではフレーム２０ｆから離れるように外側に伸び、一般に中央にあたる部分２５でフレーム２０ｆに向かって狭くなる。ヘッドバンド１０は、図１５で前方向を「Ｆ」と表示した矢印で示す通り、フレーム２０ｆが後ろに向くように装着するよう構成されている。このようなヘッドバンド１０には、もちろん、快適な装着のための耳バンド３２が含まれる。
【００２９】
図２３は、一部の実施例で、持ち上がりの特徴を持つように、ヘッドバンド１０が前部から後部（典型的にはフレームがある場所）にかけて角度をつけて持ち上がるように構成されうることを示している。角度は典型的には約１５から２０度である。
【００３０】
図２４Ａおよび２４Ｂに示すように、一部の実施例では、ヘッドバンド１０の主要な表面２０ｓの底面には装着者の頭髪に接する滑り止め機能７５が設けられる。この種類の機能は軽量のヘッドバンド１０にとって、ヘッドバンドを装着者の頭の望む箇所にとどめておくのを補助するために特に役に立つ。滑り止め機能７５はヘッドバンド１０に一体化したものとして、あるいは補助的な要素として取り付けられてもよい。例えば、ヘッドバンドの底面に、本体の材質よりも摩擦の大きいもう一つの第二の材質を貼り付けることができる。他の実施例では、底面に摩擦の大きい模様の浮き彫り加工を施す、底面を研磨剤で処理する、あるいは減摩材でコーティングすることなどが可能である。他の実施例では、滑り止め機能７５はヘッドバンド１０の底面に接着された滑り止め材によってもたらされる。滑り止め材は、ネオプレン、エラストマー、および／またはポリマーから成る、弾力性のある材質、あるいはその他の摩擦の大きい材質の、一枚あるいは複数の細長い断片であってもよい。一部の実施例では、滑り止め機能７５は、使用者への適切な位置への装着を促す、粘着性のある、あるいは少し粘着性のある感触の部分を提供しうる。
【００３１】
滑り止め機能７５はヘッドバンド１０の底面の前側および／または中央部の一部分にわたってつけられる。図２４Ａに示すように、滑り止め機能７５はヘッドバンド１０の底面から上に向けてその前方の端を包み込むエラストマーの部分である。図２４Ｂは、滑り止め機能７５がヘッドバンド１０の底面のみに位置するよう構成されうることを示している。図２４Ｂでは、滑り止め機能７５はヘッドバンド１０の底面の中央前部の輪郭に一般に沿っているように示されているが、ヘッドバンドの中央、または後部にさえも一般に真っ直ぐな細長い断片としてつけられることもある（図示せず）。他の実施例では、一般にヘッドバンド１０の主要な上部表面の底面全体が滑り止め機能７５となりうる（図示せず）。一部の実施例では、ヘッドバンド１０の底部は、間隔をおいた複数の細長い断片で形成された、断続的な滑り止め用の表面を持ちうる（図示せず）。
【００３２】
本発明によるヘッドバンド１０は、陳列台５０に陳列されてもよい。陳列台５０は、例えば図１７に示すように、細長い側部３０が内側に伸び上部が外から見えるように、一般に一直線に並んだ垂直の段５４にヘッドバンド１０を取り出し可能なように収納するよう構成された、直立型の回転式陳列台５２であってもよい。また、陳列台５０は例えば図１８に示すように、細長い側部３０を互いの方に向かってヘッドバンド１０の上部２０のそばへ折りたたんだ状態でヘッドバンド１０を収納する個別の収納場所５６のついた構造になっていてもよい。
【００３３】
上述の内容は、本発明に関する説明に役立つものであり、本発明を制限すると解釈されるものではない。本発明の少数の実施例について記述されたが、本発明の新規の内容と利点から実質的に逸脱することなく、典型的な実施例に多くの変更を加えることが可能であると、当業者は容易に認識するであろう。従って、そのような変更全てを、請求項に定義されるように本発明の範囲内に含むことを目的とする。請求項においてミーンズ・プラス・ファンクション（ｍｅａｎｓ−ｐｌｕｓ−ｆｕｎｃｔｉｏｎ）の節が使われる場合は、ここに列挙された機能を果たすと説明されている構造を網羅し、構造的な同等物のみならず同等な構造も網羅することを目的とする。従って、当然のことながら、上述の内容は本発明に関する説明に役立つものであり、開示された特定の実施例に限られると解釈されるものではなく、開示された実施例または他の実施例への変更を添付の請求項の範囲に含むことを目的とする。発明は以下の請求項により定義され、請求項の同等物もこれに含まれるものとする。
【図面の簡単な説明】
【００３４】
【図１】本発明の実施例によるヘッドバンドの斜視図である。
【図２】図１に示したヘッドバンドの上面図である。
【図３】図１に示したヘッドバンドの正面図である。
【図４】図１に示したヘッドバンドの、使用者が装着した状態を表す上面図である。
【図５】図１に示したヘッドバンドの、使用者が装着した状態を表す正面図である。
【図６】本発明のもう一つの実施例の斜視図である。
【図７】図６に示したヘッドバンドの、使用者が装着した状態を示す正面図である。
【図８】本発明の実施例による、ヘッドバンドの上部と側部の間のヒンジによる、および／または枢動可能な接続を、部分的に拡大した斜視図である。
【図９】本発明の実施例による、ヘッドバンドの下側部を部分的に拡大した斜視図である。
【図１０】本発明の実施例によるヘッドバンドのもう一つの、上部分枝部のついた下側部を部分的に拡大した斜視図である。
【図１１】本発明の他の実施例による、上部に曲線をなす立体的外形を持つヘッドバンドの斜視図である。
【図１２】図１１に示したヘッドバンドの、使用者が装着した状態を表す正面図である。
【図１３】本発明の実施例による、下側部が厚くなったもう一つのヘッドバンドの斜視図である。
【図１４】子供用に構成した本発明の実施例の正面図である。
【図１５】本発明の実施例による、他のヘッドバンドの斜視図である。
【図１６】本発明の実施例による、もう一つのヘッドバンドの構造の側面からの斜視図である。
【図１７】図１６に示した構造の上面図である。
【図１８】本発明の実施例による、もう一つのヘッドバンドの構造の側面からの斜視図である。
【図１９】図１８に示した構造の上面図である。
【図２０】使用者が同時に目を覆うように装着する、眼鏡のつるが通るような大きさと構造を持つ通過部を含む、さらに他のヘッドバンドの斜視図である。
【図２１】本発明の実施例による、側部を伸ばした状態でヘッドバンドを陳列できるような、ヘッドバンドの陳列台の斜視図である。
【図２２】本発明の実施例による、側部を折りたたんだ状態でヘッドバンドを陳列できる、もう一つの陳列台の斜視図である。
【図２３】本発明の実施例による、もう一つのヘッドバンドの側面図である。
【図２４Ａ】本発明の実施例による、滑り止め機能のついたヘッドバンドの部分的な側面斜視図である。
【図２４Ｂ】本発明の実施例による、もう一つの典型的な滑り止め機能のついたヘッドバンドの底面図である。
【図１】
2008520273.tif 000003
【図２】
2008520273.tif 000004
【図３】
2008520273.tif 000005
【図４】
2008520273.tif 000006
【図５】
2008520273.tif 000007
【図６】
2008520273.tif 000008
【図７】
2008520273.tif 000009
【図８】
2008520273.tif 000010
【図９】
2008520273.tif 000011
【図１０】
2008520273.tif 000012
【図１１】
2008520273.tif 000013
【図１２】
2008520273.tif 000014
【図１３】
2008520273.tif 000015
【図１４】
2008520273.tif 000016
【図１５】
2008520273.tif 000017
【図１６】
2008520273.tif 000018
【図１７】
2008520273.tif 000019
【図１８】
2008520273.tif 000020
【図１９】
2008520273.tif 000021
【図２０】
2008520273.tif 000022
【図２１】
2008520273.tif 000023
【図２２】
2008520273.tif 000024
【図２３】
2008520273.tif 000025
【図２４Ａ】
2008520273.tif 000026
【図２４Ｂ】
2008520273.tif 000027
【国際調査報告】
2008520273.tif 000028